(57)【要約】【課題】  端末機がサーバに転送する不要な命令を遮断して端末機とサーバとの同期を取ることにより、使用者にＴＶのようなチャネル切替サービスを提供する移動通信端末機のチャネル切替装置及び方法を提供する。【解決手段】  サーバからチャネルリストを受信した端末機は、使用者がコンテンツを選択すると、サーバから該当コンテンツのパケットを受信して再生し、コンテンツの再生中に、使用者が新しいコンテンツを選択すると、ハードウェアクロックを利用して、所定時間が経過した後に新しいコンテンツのパケット転送を要求する開始命令をサーバに転送し、開始命令を受信したサーバから新しいコンテンツのパケットを受信して再生する。【選択図】  図１
2006109439.tif 000002
【特許請求の範囲】
【請求項１】
コンテンツを再生するプログラム部と、
再生中に新しいコンテンツが選択されるとタイマーを生成するタイマー生成部と、
前記生成されたタイマーが解除されると前記新しいコンテンツの受信及び／又は再生を制御する制御部と、
を含むことを特徴とする移動通信端末機。
【請求項２】
前記新しいコンテンツが選択されると、前記選択されたコンテンツのチャネルに切り替えるチャネル切替部をさらに含むことを特徴とする請求項１に記載の移動通信端末機。
【請求項３】
前記タイマーが、ハードウェアクロックを利用して生成されることを特徴とする請求項１に記載の移動通信端末機。
【請求項４】
前記タイマー生成部は、前記新しいコンテンツが選択されるとタイマーを生成し、前記生成されたタイマーの所定時間が経過した後に、前記タイマーが解除されたか否かを前記制御部に通知することを特徴とする請求項１に記載の移動通信端末機。
【請求項５】
前記タイマーが、新しいコンテンツが選択されると生成されることを特徴とする請求項１に記載の移動通信端末機。
【請求項６】
前記制御部は、前記タイマーが解除された後にコンテンツ転送の開始命令を転送することを特徴とする請求項１に記載の移動通信端末機。
【請求項７】
前記タイマーが、端末機の命令のサーバへの転送を遅延させることを特徴とする請求項１に記載の移動通信端末機。
【請求項８】
前記タイマーが、前記コンテンツの選択により生成され、所定時間経過後に解除されることを特徴とする請求項１に記載の移動通信端末機。
【請求項９】
前記所定時間は、端末機が転送する命令をサーバが処理するのに必要な時間であることを特徴とする請求項８に記載の移動通信端末機。
【請求項１０】
前記所定時間が、０．４秒を含むことを特徴とする請求項８に記載の移動通信端末機。
【請求項１１】
選択されたコンテンツを再生する第１の再生段階と、
再生中に新しいコンテンツが選択されるとタイマーを生成及び／又は解除する段階と、
前記タイマーが解除されると前記新しいコンテンツを受信して再生する第２の再生段階と、
を含むことを特徴とする移動通信端末機のチャネル切替方法。
【請求項１２】
前記第２の再生段階は、前記タイマーが解除された後に、コンテンツ転送の開始命令をコンテンツサーバに転送する段階を含むことを特徴とする請求項１１に記載の移動通信端末機のチャネル切替方法。
【請求項１３】
前記タイマーが、ハードウェアクロックを利用して生成されることを特徴とする請求項１１に記載の移動通信端末機のチャネル切替方法。
【請求項１４】
前記タイマーは、新しいコンテンツが選択されると前記端末機に生成されることを特徴とする請求項１３に記載の移動通信端末機のチャネル切替方法。
【請求項１５】
前記タイマーが、端末機の命令のサーバへの転送を遅延させることを特徴とする請求項１１に記載の移動通信端末機のチャネル切替方法。
【請求項１６】
前記タイマーが、前記コンテンツの選択により生成され、所定時間経過後に解除されることを特徴とする請求項１１に記載の移動通信端末機のチャネル切替方法。
【請求項１７】
前記所定時間は、前記端末機が転送する命令をサーバが処理するのに必要な時間であることを特徴とする請求項１１に記載の移動通信端末機のチャネル切替方法。
【請求項１８】
前記所定時間が、０．４秒を含むことを特徴とする請求項１１に記載の移動通信端末機のチャネル切替方法。
【請求項１９】
サーバからコンテンツを受信して再生する第１の再生段階と、
前記コンテンツの再生中に新しいコンテンツが選択される段階と、
前記新しいコンテンツが選択されると端末機にタイマーを生成し、所定時間経過後に前記タイマーを解除する段階と、
前記タイマーが解除されると前記新しいコンテンツを受信して再生する第２の再生段階と、
を含むことを特徴とする移動通信端末機のチャネル切替方法。
【請求項２０】
前記第２の再生段階は、前記所定時間が経過した後に、コンテンツ転送の開始命令をコンテンツサーバに転送する段階を含むことを特徴とする請求項１９に記載の移動通信端末機のチャネル切替方法。
【請求項２１】
前記タイマーが、ハードウェアクロックを利用して生成されることを特徴とする請求項１９に記載の移動通信端末機のチャネル切替方法。
【請求項２２】
前記タイマーが、端末機の命令のサーバへの転送を遅延させることを特徴とする請求項１９に記載の移動通信端末機のチャネル切替方法。
【請求項２３】
前記タイマーが、前記コンテンツの選択により生成され、所定時間経過後に解除されることを特徴とする請求項１９に記載の移動通信端末機のチャネル切替方法。
【請求項２４】
前記所定時間は、前記端末機が転送する命令をサーバが処理するのに必要な時間であることを特徴とする請求項１９に記載の移動通信端末機のチャネル切替方法。
【請求項２５】
前記所定時間が、０．４秒を含むことを特徴とする請求項１９に記載の移動通信端末機のチャネル切替方法。
【発明の詳細な説明】
【技術分野】
【０００１】
本発明は、移動通信端末機に関し、特に、移動通信端末機のＶｏＤチャネル切替装置及び方法に関する。
【背景技術】
【０００２】
一般に、移動通信サービス事業者は、移動通信端末機使用者に、無線インターネット接続、ＶｏＤ（Video on Demand）サービス、メール及びマルチメディアメッセージ転送、無線オンラインゲームのような通信機能と連係した機能を提供する。
【０００３】
このように、移動通信サービス事業者が提供する機能のうち、ＶｏＤ機能は、サーバからストリーミング方式で受信されたパケットをメディアプレーヤーなどにより再生する機能であって、使用者がインターネットを利用してＶｏＤサービスを要求した場合、コンテンツサーバは、使用者が要求したコンテンツをパケット単位で提供し、端末機は、受信されたパケットをメディアエンジンに渡してリアルタイムにコンテンツを再生する。
【０００４】
図３は、従来の移動通信端末機のＶｏＤチャネル切替方法を示すフローチャートである。
【０００５】
使用者が移動通信端末機でＶｏＤサービスを受けようとする場合、図３に示すように、使用者が端末機を利用してコンテンツサーバに接続すると、コンテンツサーバは、コンテンツリスト（チャネルリスト）を端末機に転送する（Ｓ１１０）。端末機は、前記チャネルリストを適切に整列して画面に表示し、使用者は、チャネルリストからサービスを受けようとするコンテンツを選択する（Ｓ１１２）。
【０００６】
前記の過程Ｓ１１２で、使用者が所望のコンテンツを選択すると、端末機は、メディアプレーヤーを起動して、前記選択されたコンテンツのＵＲＬ（Uniform Resource Locator）に接続する。このように、端末機とサーバの接続がなされると、端末機は、コンテンツのパケット転送を要求する開始命令をサーバに転送する（Ｓ１１４）。
【０００７】
ＵＲＬを介して開始命令を受信した前記コンテンツサーバは、ＲＴＳＰ（Real Time Streaming Protocol）又はＲＴＰ（Real Time Protocol）を利用して、使用者が選択したコンテンツをパケット単位で転送し、端末機は、受信されたコンテンツをリアルタイムに画面に再生する（Ｓ１１６）。
【０００８】
端末機で前記選択されたコンテンツを再生しているときに、使用者がチャネル切替キー（例えば、チャネルアップ／ダウンキー、方向キー）を押さないと、再生中のコンテンツは持続的に再生され、コンテンツの再生が完了すると（Ｓ１１８、Ｓ１２０）、端末機は、使用者が他のコンテンツを選択できるように、前記受信されたチャネルリストを画面に再表示する（Ｓ１２２）。
【０００９】
反面、端末機で前記選択されたコンテンツを再生しているときに、使用者が他のコンテンツのサービスを受けようとして、チャネル切替キー（例えば、チャネルアップ／ダウンキー、方向キー）を押して新しいコンテンツを選択すると、端末機は、転送中のコンテンツのパケット転送の終了を要求する終了命令をサーバに転送する（Ｓ１１８、Ｓ１２４）。その後、新しいコンテンツのＵＲＬへの接続がなされると、前記端末機は、新しいコンテンツのパケット転送を要求する開始命令をサーバに転送する（Ｓ１１４）。
【００１０】
次に、転送中のコンテンツのパケット転送の終了命令と新しいコンテンツのパケット転送の開始命令を受信したサーバは、前記転送中のコンテンツのパケット転送を終了し、前記新しいコンテンツのパケット転送を開始する。サーバから前記新しいコンテンツのパケットを受信した端末機は、リアルタイムに画面に再生する（Ｓ１１６）。
【００１１】
しかしながら、このような従来の方法においては、次のような問題が発生する。
【００１２】
サーバは、端末機からの命令を認識して実行することができる充分な時間を有して該当命令を処理しなければならないが、従来の場合、使用者が、サーバが命令を処理する時間より短い時間にチャネルリストを頻繁に変更するか、又は多数の命令、即ち、チャネルアップ／ダウン命令、メディア転送開始／中止命令などを転送すると、サーバは、前記の各命令を処理するための充分な時間を確保することができないため、大部分の命令を失う。結局、サーバは、使用者の要求に応えるサービスを提供することができず、端末機の頻繁な命令により、端末機とコンテンツサーバとの同期が取れないという問題があった。
【発明の開示】
【発明が解決しようとする課題】
【００１３】
本発明は、このような従来技術の問題を解決するためになされたもので、端末機とコンテンツサーバとの同期を取って端末機のチャネルを切り替える装置及び方法を提供することを目的とする。
【課題を解決するための手段】
【００１４】
上記の目的を達成するために、本発明による移動通信端末機は、コンテンツを再生するプログラム部と、再生中に新しいコンテンツが選択されるとタイマーを生成するタイマー生成部と、前記生成されたタイマーが解除されると前記新しいコンテンツの受信及び／又は再生を制御する制御部とを含むことを特徴とする。
【００１５】
また、上記の目的を達成するために、本発明による移動通信端末機のチャネル切替方法は、サーバからコンテンツを受信して再生する第１の再生段階と、前記コンテンツの再生中に新しいコンテンツが選択される段階と、前記新しいコンテンツが選択されると端末機にタイマーを生成し、所定時間経過後に前記タイマーを解除する段階と、前記タイマーが解除されると前記新しいコンテンツを受信して再生する第２の再生段階とを含むことを特徴とする。
【００１６】
好ましくは、前記移動通信端末機は、前記新しいコンテンツが選択されると、前記選択されたコンテンツのチャネルに切り替えるチャネル切替部をさらに含む。
【００１７】
好ましくは、前記移動通信端末機に生成されるタイマーは、ハードウェアクロックを利用して生成される。
【００１８】
好ましくは、前記タイマーは、前記端末機が前記サーバに転送する命令を、所定時間が経過した後に転送する。
【００１９】
上記目的を達成するために、本発明は、例えば、以下の手段を提供する。
（項目１）
コンテンツを再生するプログラム部と、
再生中に新しいコンテンツが選択されるとタイマーを生成するタイマー生成部と、
前記生成されたタイマーが解除されると前記新しいコンテンツの受信及び／又は再生を制御する制御部と、
を含むことを特徴とする移動通信端末機。
（項目２）
前記新しいコンテンツが選択されると、前記選択されたコンテンツのチャネルに切り替えるチャネル切替部をさらに含むことを特徴とする項目１に記載の移動通信端末機。
（項目３）
前記タイマーが、ハードウェアクロックを利用して生成されることを特徴とする項目１に記載の移動通信端末機。
（項目４）
前記タイマー生成部は、前記新しいコンテンツが選択されるとタイマーを生成し、前記生成されたタイマーの所定時間が経過した後に、前記タイマーが解除されたか否かを前記制御部に通知することを特徴とする項目１に記載の移動通信端末機。
（項目５）
前記タイマーが、新しいコンテンツが選択されると生成されることを特徴とする項目１に記載の移動通信端末機。
（項目６）
前記制御部は、前記タイマーが解除された後にコンテンツ転送の開始命令を転送することを特徴とする項目１に記載の移動通信端末機。
（項目７）
前記タイマーが、端末機の命令のサーバへの転送を遅延させることを特徴とする項目１に記載の移動通信端末機。
（項目８）
前記タイマーが、前記コンテンツの選択により生成され、所定時間経過後に解除されることを特徴とする項目１に記載の移動通信端末機。
（項目９）
前記所定時間は、端末機が転送する命令をサーバが処理するのに必要な時間であることを特徴とする項目８に記載の移動通信端末機。
（項目１０）
前記所定時間が、０．４秒を含むことを特徴とする項目８に記載の移動通信端末機。
（項目１１）
選択されたコンテンツを再生する第１の再生段階と、
再生中に新しいコンテンツが選択されるとタイマーを生成及び／又は解除する段階と、
前記タイマーが解除されると前記新しいコンテンツを受信して再生する第２の再生段階と、
を含むことを特徴とする移動通信端末機のチャネル切替方法。
（項目１２）
前記第２の再生段階は、前記タイマーが解除された後に、コンテンツ転送の開始命令をコンテンツサーバに転送する段階を含むことを特徴とする項目１１に記載の移動通信端末機のチャネル切替方法。
（項目１３）
前記タイマーが、ハードウェアクロックを利用して生成されることを特徴とする項目１１に記載の移動通信端末機のチャネル切替方法。
（項目１４）
前記タイマーは、新しいコンテンツが選択されると前記端末機に生成されることを特徴とする項目１３に記載の移動通信端末機のチャネル切替方法。
（項目１５）
前記タイマーが、端末機の命令のサーバへの転送を遅延させることを特徴とする項目１１に記載の移動通信端末機のチャネル切替方法。
（項目１６）
前記タイマーが、前記コンテンツの選択により生成され、所定時間経過後に解除されることを特徴とする項目１１に記載の移動通信端末機のチャネル切替方法。
（項目１７）
前記所定時間は、前記端末機が転送する命令をサーバが処理するのに必要な時間であることを特徴とする項目１１に記載の移動通信端末機のチャネル切替方法。
（項目１８）
前記所定時間が、０．４秒を含むことを特徴とする項目１１に記載の移動通信端末機のチャネル切替方法。
（項目１９）
サーバからコンテンツを受信して再生する第１の再生段階と、
前記コンテンツの再生中に新しいコンテンツが選択される段階と、
前記新しいコンテンツが選択されると端末機にタイマーを生成し、所定時間経過後に前記タイマーを解除する段階と、
前記タイマーが解除されると前記新しいコンテンツを受信して再生する第２の再生段階と、
を含むことを特徴とする移動通信端末機のチャネル切替方法。
（項目２０）
前記第２の再生段階は、前記所定時間が経過した後に、コンテンツ転送の開始命令をコンテンツサーバに転送する段階を含むことを特徴とする項目１９に記載の移動通信端末機のチャネル切替方法。
（項目２１）
前記タイマーが、ハードウェアクロックを利用して生成されることを特徴とする項目１９に記載の移動通信端末機のチャネル切替方法。
（項目２２）
前記タイマーが、端末機の命令のサーバへの転送を遅延させることを特徴とする項目１９に記載の移動通信端末機のチャネル切替方法。
（項目２３）
前記タイマーが、前記コンテンツの選択により生成され、所定時間経過後に解除されることを特徴とする項目１９に記載の移動通信端末機のチャネル切替方法。
（項目２４）
前記所定時間は、前記端末機が転送する命令をサーバが処理するのに必要な時間であることを特徴とする項目１９に記載の移動通信端末機のチャネル切替方法。
（項目２５）
前記所定時間が、０．４秒を含むことを特徴とする項目１９に記載の移動通信端末機のチャネル切替方法。
【発明の効果】
【００２０】
本発明による移動通信端末機のＶｏＤチャネル切替装置及び方法は、移動通信端末機を利用してリアルタイムにＶｏＤサービスを受けているときに、新しいコンテンツのサービスを受けようとチャネルを切り替える場合、最初にキーが押された時点から次のキーが押されてサーバに命令が届くまでの時間を保障することにより、効率的にＶｏＤサーバとの同期を取って、使用者にリモコンでＴＶを操作するような便利さを提供するという効果がある。
【発明を実施するための最良の形態】
【００２１】
以下、添付の図面を参照して本発明の好ましい実施形態を説明する。
【００２２】
本発明の基本概念は、端末機が転送した命令をコンテンツサーバが実行することができる充分な時間を有するように、サーバが命令を処理する時間間隔で端末機の命令を転送することにある。
【００２３】
図１は、本発明による移動通信端末機のＶｏＤチャネル切替装置を示すブロック図である。
【００２４】
図１に示すように、本発明による移動通信端末機のＶｏＤチャネル切替装置は、サーバ（図示せず）からコンテンツリスト（チャネルリスト）及び／又は該当チャネルのコンテンツなどのデータを受信する受信部１０と、受信されたデータを制御する制御部２０と、制御部２０の制御下で受信されたデータを保存するメモリ３０と、受信されたデータのうち映像関連のデータを再生するプログラムが内蔵されたプログラム部４０と、メモリ３０及び／又はプログラム部４０を利用してデータを表示するディスプレイ部５０と、前記表示されるデータを制御するための命令が入力される入力部６０と、命令が入力されるとタイマーを生成するタイマー生成部７０と、チャネルを切り替えるチャネル切替部８０と、切り替えられたチャネルを利用してデータを転送する転送部９０とを含む。
【００２５】
以下、このように構成された本発明による移動通信端末機のＶｏＤチャネル切替装置の動作を図１を参照して説明する。
【００２６】
受信部１０を介してコンテンツサーバ（図示せず）からコンテンツリスト（チャネルリスト）を受信すると、端末機は、制御部２０の制御下で受信されたチャネルリストをメモリ３０に保存し、ディスプレイ部５０に表示する。表示されたチャネルリストのうちサービスを受けようとするコンテンツが選択されると、制御部２０は、プログラム部４０に内蔵されたコンテンツプレーヤー（例えば、メディアプレーヤー）を起動させて、選択された該当コンテンツのＵＲＬに接続する。また、制御部２０は、選択されたコンテンツのパケット転送を要求する開始命令を転送部９０によりサーバに転送し、前記サーバから転送されるコンテンツのパケットを前記プレーヤーを利用してリアルタイムに再生する。
【００２７】
コンテンツの再生中に、使用者が他のコンテンツを見るために、チャネル切替命令を入力部６０により入力すると、制御部２０は、転送中のコンテンツ転送の終了を要求する終了命令を転送部９０を介してサーバに転送し、タイマー生成部７０は、制御部２０の制御下でハードウェアクロックを利用してタイマーを生成する。制御部２０は、前記生成されたタイマーの所定時間が経過した後に、チャネル切替部８０にチャネル切替命令を転送し、チャネル切替部８０は、受信された前記チャネル切替命令によりチャネルを切り替えて転送部９０に転送する。転送部９０は、制御部２０の制御下でチャネル切替部８０から受信されたチャネル切替命令を利用して、チャネルが切り替えられたことをサーバに通知する。
【００２８】
前記タイマーの所定時間が経過した後にチャネル切替命令をサーバに転送する理由は、コンテンツサーバが該当コンテンツの転送開始、停止、変更などの命令を順次実行することができる所定時間を確保するためである。
【００２９】
図２は、本発明による移動通信端末機のＶｏＤチャネル切替方法を示すフローチャートである。
【００３０】
以下、本発明による移動通信端末機のＶｏＤチャネル切替方法を図２を参照して説明する。
【００３１】
使用者が端末機を利用してＶｏＤサービスを受けようとする場合、端末機は、移動通信サービス事業者が提供するコンテンツサーバに接続して、コンテンツリスト（チャネルリスト）を受信する（Ｓ２１０）。端末機は、受信されたチャネルリストを適切に整列して画面に表示し、使用者にチャネルリストのうちサービスを受けようとするコンテンツを選択させる（Ｓ２１２）。サービスを受けようとするコンテンツが選択されると、端末機は、端末機に内蔵されたメディアプレーヤーを起動して、使用者が選択した該当コンテンツのＵＲＬに接続し、前記選択されたコンテンツのパケット転送を要求する開始命令をサーバに転送する（Ｓ２１４）。また、開始命令を受信した前記サーバは、前記選択されたコンテンツのパケットをＲＴＳＰ又はＲＴＰを利用して端末機に転送する。端末機は、受信されたパケットをメディアプレーヤーエンジン（例えば、ＱＵＡＬＣＯＭＭのＱＴＶ）に転送し、メディアプレーヤーエンジンは、転送されているコンテンツをリアルタイムに画面に再生する（Ｓ２１６）。
【００３２】
端末機がＶｏＤサービスの提供されるコンテンツを再生しているときに、使用者が他のコンテンツを選択するためのチャネル切替キー（例えば、チャネルアップ／ダウンキー、方向キー）を押さないと、再生中のコンテンツは持続的に再生され、コンテンツの再生が完了すると（Ｓ２１８、Ｓ２２０）、端末機は、使用者が他のコンテンツを選択できるように、サーバから転送されたチャネルリストを再表示する（Ｓ２２２）。
【００３３】
反面、端末機がＶｏＤサービスが提供されるコンテンツを再生しているときに、使用者が他のコンテンツを見るために、チャネル切替キー（例えば、チャネルアップ／ダウンキー、方向キー）を入力すると、端末機は、サービスを受けているコンテンツの終了を要求する終了命令をサーバに転送した後に、ハードウェアクロックを利用してタイマーを生成する（Ｓ２１８、Ｓ２２４）。
【００３４】
前記タイマーは、前記タイマーに設定された時間（例えば、０．４秒）が経過すると終了して解除される（Ｓ２２６、Ｓ２２８）。
【００３５】
前記タイマーが解除されると、端末機は、チャネル切替キーの入力により選択された新しいコンテンツのＵＲＬに接続し、前記ＵＲＬに該当する新しいコンテンツのパケット転送を要求する開始命令をサーバに転送する（Ｓ２１４）。開始命令を受信したサーバが前記新しいコンテンツのパケットをＲＴＳＰ又はＲＴＰを利用して端末機に転送すると、端末機は、メディアプレーヤーを利用して受信されているパケットをリアルタイムに再生する（Ｓ２１６）。
【００３６】
本発明においては、新しいコンテンツのサービスを受けるためのチャネル切替キー（例えば、チャネルアップ／ダウンキー、方向キー）が入力されると、新しいコンテンツのストリーミングの開始命令をサーバに転送する前に、ハードウェアクロックを利用してタイマーを生成し、生成されたタイマーの所定時間が経過した後に、開始命令をサーバに転送する。タイマーの所定時間が経過した後に前記命令を転送する理由は、コンテンツサーバが前記チャネル切替キーを押すことによって発生する該当コンテンツのパケット転送の終了及び開始命令を順次実行することができる所定時間を確保するためであり、使用者がチャネルアップ／ダウンキーを短い時間に多数回押したとき、サーバが前記命令を処理することができず、大部分の命令を失ってしまうことを防止するためである。即ち、該当命令を処理するための充分な時間を有すると、サーバは、端末機との命令の同期が取れて、端末機からの命令を失うことなく全て実行することができる。
【００３７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３８】
端末機がサーバに転送する不要な命令を遮断して端末機とサーバとの同期を取ることにより、使用者にＴＶのようなチャネル切替サービスを提供する移動通信端末機のチャネル切替装置及び方法を提供する。
【００３９】
サーバからチャネルリストを受信した端末機は、使用者がコンテンツを選択すると、サーバから該当コンテンツのパケットを受信して再生し、コンテンツの再生中に、使用者が新しいコンテンツを選択すると、ハードウェアクロックを利用して、所定時間が経過した後に新しいコンテンツのパケット転送を要求する開始命令をサーバに転送し、開始命令を受信したサーバから新しいコンテンツのパケットを受信して再生する。
【図面の簡単な説明】
【００４０】
【図１】本発明による移動通信端末機のＶｏＤチャネル切替装置を示すブロック図である。
【図２】本発明による移動通信端末機のＶｏＤチャネル切替方法を示すフローチャートである。
【図３】従来の移動通信端末機のＶｏＤチャネル切替方法を示すフローチャートである。
【符号の説明】
【００４１】
１０  受信部
２０  制御部
３０  メモリ
４０  プログラム部
５０  表示部
６０  入力部
７０  タイマー生成部
８０  チャネル切替部
９０  転送部
【図１】
2006109439.tif 000003
【図２】
2006109439.tif 000004
【図３】
2006109439.tif 000005